【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
エリアセンサと、
予め設定されている複数の撮影モードから一の撮影モードを選択する撮影モード設定手段と、
前記エリアセンサからの撮影出力及びオフセット出力を用いた演算処理を実行する補正手段と、
前記撮影モード設定手段からの信号に応じて、前記エリアセンサの動作及び前記補正手段による演算処理を制御する制御手段と、
を有し、
前記複数の撮影モードのうち少なくとも一つは、互いに異なるＸ線エネルギーで取得された少なくとも２フレームの撮影出力及び少なくとも１フレームのオフセット出力を取得するエネルギーサブトラクション撮影モードであることを特徴とする画像撮影装置。
【請求項２】
前記制御手段は、前記補正手段に、前記撮影モード設定手段からの信号に応じたオフセット出力を用いて演算処理を行わせることを特徴とする請求項１に記載の画像撮影装置。
【請求項３】
前記撮影モード設定手段からの信号に応じたオフセット出力のうちの少なくとも一つは、撮影出力を取得した直後の読み出し動作により得られたオフセット出力であることを特徴とする請求項２に記載の画像撮影装置。
【請求項４】
前記撮影モード設定手段からの信号に応じたオフセット出力のうちの少なくとも一つは、撮影出力を取得する直前の読み出し動作により得られたオフセット出力であることを特徴とする請求項２又は３に記載の画像撮影装置。
【請求項５】
前記撮影モード設定手段からの信号に応じたオフセット出力のうちの少なくとも一つは、前記撮影出力を取得する以前に予め設定されたオフセット出力であることを特徴とする請求項２乃至４のいずれか１項に記載の画像撮影装置。
【請求項６】
前記予め設定されたオフセット出力は、少なくとも２フレームのオフセット出力の平均であることを特徴とする請求項５に記載の画像撮影装置。
【請求項７】
前記複数の撮影モードのうち少なくとも一つは、撮影出力及びオフセット出力の取得を繰り返して行う動画撮影モードであることを特徴とする請求項１乃至６のいずれか１項に記載の画像撮影装置。
【請求項８】
前記動画撮影モードにおいて、前記制御手段は、前記補正手段に、前記撮影出力及び当該撮影出力を取得した直後の読み出し動作により得られたオフセット出力を用いた演算処理を実行させることを特徴とする請求項７に記載の画像撮影装置。
【請求項９】
前記動画撮影モードにおいて、前記制御手段は、前記補正手段に、前記撮影出力及び当該撮影出力を取得した直前の読み出し動作により得られたオフセット出力を用いた演算処理を実行させることを特徴とする請求項７に記載の画像撮影装置。
【請求項１０】
前記複数の撮影モードのうち少なくとも一つは、撮影出力を繰り返して取得する高速動画撮影モードであることを特徴とする請求項１乃至９のいずれか１項に記載の画像撮影装置。
【請求項１１】
前記高速動画撮影モードにおいて、前記制御手段は、前記補正手段に、前記撮影出力及び予め設定されたオフセット出力を用いた演算処理を実行させることを特徴とする請求項１０に記載の画像撮影装置。
【請求項１２】
前記複数の撮影モードのうち少なくとも一つは、１フレームの撮影出力及び少なくとも１フレームのオフセット出力を取得する静止画撮影モードであることを特徴とする請求項１乃至１１のいずれか１項に記載の画像撮影装置。
【請求項１３】
前記静止画撮影モードにおいて、前記制御手段は、前記補正手段に、前記撮影出力及び当該撮影出力を取得した直後の読み出し動作により得られたオフセット出力を用いた演算処理を実行させることを特徴とする請求項１２に記載の画像撮影装置。
【請求項１４】
前記エネルギーサブトラクション撮影モードにおいて、前記制御手段は、前記補正手段に、前記撮影出力及び当該撮影出力を取得した直後の読み出し動作により得られたオフセット出力を用いた演算処理を実行させることを特徴とする請求項１乃至１３のいずれか１項に記載の画像撮影装置。
【請求項１５】
前記補正手段は、
前記撮影出力を記憶する１以上の撮影出力メモリと、
前記オフセット出力を記憶する１以上のオフセットメモリと、
を有することを特徴とする請求項１乃至１４のいずれか１項に記載の画像撮影装置。
【請求項１６】
前記撮影出力を取得した時の撮影条件を記憶する撮影条件メモリを有し、
前記制御手段は、前記撮影条件メモリの記憶内容に応じて前記エリアセンサの動作を制御することにより、前記オフセット出力を取得することを特徴とする請求項１乃至１５のいずれか１項に記載の画像撮影装置。
【請求項１７】
自動露出制御手段を有し、
前記制御手段は、前記自動露出制御手段からの情報を前記撮影条件の一種として前記撮影条件メモリに記憶させることを特徴とする請求項１６に記載の画像撮影装置。
【請求項１８】
Ｘ線発生装置と、
エリアセンサと、
予め設定されている複数の撮影モードから一の撮影モードを選択する撮影モード設定手段と、
エリアセンサからの撮影出力及びオフセット出力を用いた演算処理を実行する補正手段と、
前記撮影モード設定手段からの信号に応じて、前記Ｘ線発生装置の動作、前記エリアセンサの動作及び前記補正手段による演算処理を制御する制御手段と、
を有し、
前記複数の撮影モードのうち少なくとも一つは、互いに異なるＸ線エネルギーで取得された少なくとも２フレームの撮影出力及び少なくとも１フレームのオフセット出力を取得するエネルギーサブトラクション撮影モードであることを特徴とする画像撮影システム。
【請求項１９】
エリアセンサと、予め設定されている複数の撮影モードから一の撮影モードを選択する撮影モード設定手段と、前記エリアセンサからの撮影出力及びオフセット出力を用いた演算処理を実行する補正手段と、を有する画像撮影装置を制御する方法であって、
前記複数の撮影モードのうち少なくとも一つは、互いに異なるＸ線エネルギーで取得された少なくとも２フレームの撮影出力及び少なくとも１フレームのオフセット出力を取得するエネルギーサブトラクション撮影モードであり、
前記撮影モード設定手段からの信号に応じて、前記エリアセンサの動作及び前記補正手段による演算処理を制御することを特徴とする画像撮影装置の制御方法。
【請求項２０】
第１のエネルギーの放射線が照射された前記エリアセンサから第１の撮影出力を取得する工程と、
前記第１のエネルギーと異なる第２のエネルギーの放射線が照射された前記エリアセンサから第２の撮影出力を取得する工程と、
前記エリアセンサから前記オフセット出力を取得する工程と、
前記第１の撮影出力と前記オフセット出力を演算処理して第１のデータを取得する工程と、
前記第２の撮影出力と前記オフセット出力を演算処理して第２のデータを取得する工程と、
前記第１のデータと前記第２のデータからエネルギーサブトラクション用の画像データを生成する工程と、
を有することを特徴とする請求項１９に記載の画像撮影装置の制御方法。
【請求項２１】
第１のエネルギーの放射線が照射された前記エリアセンサからの第１の撮影出力を取得する第１の工程と、
前記第１の工程の後に前記エリアセンサからの第１のオフセット出力を取得する第２の工程と、
前記第１のエネルギーと異なる第２のエネルギーの放射線が照射された前記エリアセンサからの第２の撮影出力を取得する第３の工程と、
前記第３の工程の後に前記エリアセンサからの第２のオフセット出力を取得する第４の工程と、
前記第１の撮影出力と前記第１のオフセット出力を演算処理して第１のデータを取得する第５の工程と、
前記第２の撮影出力と前記第２のオフセット出力を演算処理して第２のデータを取得する第６の工程と、
前記第１のデータと前記第２のデータからエネルギーサブトラクション用の画像データを生成する第７の工程と、
を有することを特徴とする請求項１９に記載の画像撮影装置の制御方法。
【請求項２２】
エリアセンサと、予め設定されている複数の撮影モードから一の撮影モードを選択する撮影モード設定手段と、前記エリアセンサからの撮影出力及びオフセット出力を用いた演算処理を実行する補正手段と、を有する画像撮影装置の制御をコンピュータに行わせるためのプログラムであって、
前記複数の撮影モードのうち少なくとも一つは、互いに異なるＸ線エネルギーで取得された少なくとも２フレームの撮影出力及び少なくとも１フレームのオフセット出力を取得するエネルギーサブトラクション撮影モードであり、
コンピュータに、前記撮影モード設定手段からの信号に応じて、前記エリアセンサの動作及び前記補正手段による演算処理を制御する処理を行わせることを特徴とするプログラム。
【手続補正２】
【補正対象書類名】明細書
【補正対象項目名】００１６
【補正方法】変更
【補正の内容】
【００１６】
本発明に係る画像撮影装置は、エリアセンサと、予め設定されている複数の撮影モードから一の撮影モードを選択する撮影モード設定手段と、前記エリアセンサからの撮影出力及びオフセット出力を用いた演算処理を実行する補正手段と、前記撮影モード設定手段からの信号に応じて、前記エリアセンサの動作及び前記補正手段による演算処理を制御する制御手段と、を有し、前記複数の撮影モードのうち少なくとも一つは、互いに異なるＸ線エネルギーで取得された少なくとも２フレームの撮影出力及び少なくとも１フレームのオフセット出力を取得するエネルギーサブトラクション撮影モードであることを特徴とする。
【手続補正３】
【補正対象書類名】明細書
【補正対象項目名】００１７
【補正方法】変更
【補正の内容】
【００１７】
本発明に係る画像撮影システムは、Ｘ線発生装置と、エリアセンサと、予め設定されている複数の撮影モードから一の撮影モードを選択する撮影モード設定手段と、エリアセンサからの撮影出力及びオフセット出力を用いた演算処理を実行する補正手段と、前記撮影モード設定手段からの信号に応じて、前記Ｘ線発生装置の動作、前記エリアセンサの動作及び前記補正手段による演算処理を制御する制御手段と、を有し、前記複数の撮影モードのうち少なくとも一つは、互いに異なるＸ線エネルギーで取得された少なくとも２フレームの撮影出力及び少なくとも１フレームのオフセット出力を取得するエネルギーサブトラクション撮影モードであることを特徴とする。
【手続補正４】
【補正対象書類名】明細書
【補正対象項目名】００１８
【補正方法】変更
【補正の内容】
【００１８】
本発明に係る画像撮影装置の制御方法は、エリアセンサと、予め設定されている複数の撮影モードから一の撮影モードを選択する撮影モード設定手段と、前記エリアセンサからの撮影出力及びオフセット出力を用いた演算処理を実行する補正手段と、を有する画像撮影装置を制御する方法であって、前記複数の撮影モードのうち少なくとも一つは、互いに異なるＸ線エネルギーで取得された少なくとも２フレームの撮影出力及び少なくとも１フレームのオフセット出力を取得するエネルギーサブトラクション撮影モードであり、前記撮影モード設定手段からの信号に応じて、前記エリアセンサの動作及び前記補正手段による演算処理を制御することを特徴とする。
【手続補正５】
【補正対象書類名】明細書
【補正対象項目名】００１９
【補正方法】変更
【補正の内容】
【００１９】
本発明に係るプログラムは、エリアセンサと、予め設定されている複数の撮影モードから一の撮影モードを選択する撮影モード設定手段と、前記エリアセンサからの撮影出力及びオフセット出力を用いた演算処理を実行する補正手段と、を有する画像撮影装置の制御をコンピュータに行わせるためのプログラムであって、前記複数の撮影モードのうち少なくとも一つは、互いに異なるＸ線エネルギーで取得された少なくとも２フレームの撮影出力及び少なくとも１フレームのオフセット出力を取得するエネルギーサブトラクション撮影モードであり、コンピュータに、前記撮影モード設定手段からの信号に応じて、前記エリアセンサの動作及び前記補正手段による演算処理を制御する処理を行わせることを特徴とする。